(57)【要約】      （修正有）【課題】デザイン上の統一感があり、ポストカバーの固定具が目立たず、すっきりとした外観を備える意匠性の高い、施工性およびメンテナンス性に優れた郵便受けの設置構造を提供すること。【解決手段】壁体２の取付孔２１に組み込む投入口３２を有するポスト本体３と、光源５１と明るさ検知センサ５２を有する照明装置ユニット５とともに、投入口、インターフォン４、照明装置ユニットを一体に囲う取付枠６と、投入口、インターフォン、照明装置ユニットを覆うポストカバー７を備え、ポスト本体は下側固定金具８が配設され、ポストカバーは裏面７１に取付枠の上面の溝と嵌合する突起９１を有する係止部９２と、ポストカバーの裏面に接する立設面部９３とからなる上側固定金具が配設され、取付枠の上面の溝に上側固定金具の突起を嵌め込むとともに、ポストカバーの底面部７２と下側固定金具を固定具１０を用いて固定して取り付ける。【選択図】図１
2017225776.tif 000002
【特許請求の範囲】
【請求項１】
壁体に組み込まれる郵便受けの設置構造であって、
前記壁体は取付孔を有し、
前記壁体の取付孔に組み込まれ前面に投入口を有するポスト本体と、
このポスト本体に隣接して前記壁体の壁面に取り付けられるインターフォンと、
前記ポスト本体の前面の上方に取り付けられる光源と明るさ検知センサを有する照明装置ユニットと、
前記投入口の外周、前記インターフォンの外周および前記照明装置ユニットの外周を一体に囲うように配設された、上面に溝を有する取付枠と、
前記投入口の周囲、前記インターフォンの前面および前記照明装置ユニットの前面を一体に覆うように取り付けられるポストカバーとを備え、
前記ポスト本体は、前面上寄りに投入口を有し、この投入口の下方に下側固定金具が上下動可能に配設されており、
前記ポストカバーは、裏面に、前記取付枠の上面の溝と嵌合する突起を有する係止部と、ポストカバーの裏面に接する立設面部とからなる上側固定金具が配設されており、
前記取付枠の上面の溝に前記上側固定金具の突起を嵌め込むとともに、前記ポストカバーの底面部と前記下側固定金具とを、固定具を用いて固定して取り付け可能とされていることを特徴とする郵便受けの設置構造。
【請求項２】
前記取付枠が四方枠であることを特徴とする請求項１に記載の郵便受けの設置構造。
【請求項３】
前記照明装置ユニットが、前記取付孔に組み込まれることを特徴とする請求項１または２に記載の郵便受けの設置構造。
【請求項４】
前記照明装置ユニットが、前記ポスト本体の上方に隣接して前記壁体の壁面に取り付けられることを特徴とする請求項１または２に記載の郵便受けの設置構造。
【発明の詳細な説明】
【技術分野】
【０００１】
本発明は、郵便受けの設置構造に関する。
【背景技術】
【０００２】
従来より、住宅等の建物の門柱、門袖、ブロック塀等の建物外構部を構成する壁体には、郵便受け、インターフォン、表札、照明等の設備部材が設置されている。近年では、これらの設備部材について、建物の顔としての役割が求められており、設置施工の容易性とともにデザイン上の統一感が求められている。
【０００３】
例えば、特許文献１の郵便受けの設置構造では、インターフォンが郵便受けのポスト本体に収納されており、しかもポスト本体の前面に化粧用のポストカバーが取り付けられている。また、特許文献２の郵便受けの設置構造では、照明装置ユニットが郵便受けのポスト本体に収納されており、しかもポスト本体の前面に化粧用のポストカバーが取り付けられている。このように、複数の設備部材があらかじめ一体化された製品を用いることにより、意匠性の高い郵便受けの設置構造を建物外構部の壁体に設置することができるとされている。
【０００４】
しかしながら、これらの郵便受けの設置構造では、インターフォンや照明装置ユニットが故障した際に、郵便受け全体を壁体から取り外し、修理、交換する必要が生じ、修理中の壁体においては取付孔が露出し、意匠性が低下するという問題があった。
【０００５】
また、特許文献３の郵便受けの設置構造では、壁体に設けられた取付孔に、別体のポスト本体と照明装置ユニットをそれぞれ組み込み、これらの設備部材の表面を覆うように、壁面に化粧用の前面パネルが取り付けられている。
【０００６】
しかしながら、この郵便受けの設置構造では、化粧用の前面パネルが、ポスト本体の前面パネル、すなわちポストカバーと、照明装置ユニットの前面パネル、すなわち照明カバーとして、それぞれ独立しているため、必ずしもデザイン上の統一感が高いとはいえなかった。
【０００７】
このような背景から、特許文献４の郵便受けの設置構造のように、ポスト本体を含む複数の設備部材をそれぞれ別体として独立した形状で建物外構部の壁体に設置した後、設備部材の前面を覆うように、化粧用のポストカバーを取り付けた郵便受けの設置構造が提案されている。
【０００８】
この郵便受けの設置構造では、外装材が取り付けられていない壁体の下地材に、固定具を用いて複数の設備部材が固定されており、これらの設備部材の前面および壁体の下地材を覆うように化粧用のポストカバーが配設されている。このため、それぞれの設備部材があたかも一体化しているかのようなデザイン上の統一感のある外観を付与することができるとされている。
【０００９】
しかしながら、特許文献４の郵便受けの設置構造では、壁体の上端部に近く、人の手や工具の届きにくい箇所において、固定具を用いてポストカバーを固定している。このため、必ずしもポストカバーの取り付け、取り外しの際のメンテナンス性が良好であるとは言い難い側面があった。
【先行技術文献】
【特許文献】
【００１０】
【特許文献１】実開平３−８９６７９号公報
【特許文献２】実開平１−６１１７８号公報
【特許文献３】実開昭６４−４１１７号公報
【特許文献４】特開平１０−７２９５６号公報
【発明の概要】
【発明が解決しようとする課題】
【００１１】
本発明は、上記従来の問題点に鑑みてなされたものであり、ポスト本体、インターフォンおよび照明装置ユニットとが一体化しているかのようなデザイン上の統一感があり、ポストカバーを固定する固定具が目立たず、すっきりとした外観を備える意匠性の高い郵便受けの設置構造を提供することを課題としている。さらにまた、施工性およびメンテナンス性に優れた郵便受けの設置構造を提供することも課題としている。
【課題を解決するための手段】
【００１２】
上記の課題を解決するために、本発明の郵便受けの設置構造は、壁体に組み込まれ前面に投入口を有する郵便受けの設置構造であって、壁体は取付孔を有し、前記壁体の取付孔に組み込まれ前面に投入口を有するポスト本体と、このポスト本体に隣接して前記壁体の壁面に取り付けられるインターフォンと、前記ポスト本体の前面の上方に取り付けられる光源と明るさ検知センサを有する照明装置ユニットと、前記投入口の外周、前記インターフォンの外周および前記照明装置ユニットの外周を一体に囲うように配設された、上面に溝を有する取付枠と、前記投入口の周囲、前記インターフォンの前面および前記照明装置ユニットの前面を一体に覆うように取り付けられるポストカバーとを備え、前記ポスト本体は、前面上寄りに投入口を有し、この投入口の下方に下側固定金具が上下動可能に配設されており、前記ポストカバーは、裏面に前記取付枠の上面の溝と嵌合する突起を有する係止部と、前記ポストカバーの裏面に接する立設面部とからなる上側固定金具が配設されており、前記取付枠の上面の溝に前記上側固定金具の突起を嵌め込むとともに、前記ポストカバーの底面部と前記下側固定金具とを、固定具を用いて固定して設置可能とされていることを特徴としている。
【発明の効果】
【００１３】
本発明の郵便受けの設置構造によれば、ポスト本体、インターフォンおよび照明装置ユニットとが一体化したデザイン上の統一感があり、ポストカバーを固定する固定具が目立たず、すっきりとした外観を備える意匠性の高い郵便受けの設置構造を提供することができる。さらにまた、施工性およびメンテナンス性に優れた郵便受けの設置構造を提供することができる。
【図面の簡単な説明】
【００１４】
【図１】本発明の郵便受けの設置構造の一実施形態における縦断面図である。
【図２】壁体に組み込まれたポスト本体と照明装置ユニットの要部斜視図である。
【図３】取付枠およびポストカバーの分解斜視図である。
【図４】照明装置ユニットを後ろ斜め下方から視た概略斜視図である。
【図５】壁体に組み込まれたポスト本体と壁体の壁面に取り付けられた照明装置ユニットの縦断面図である。
【図６】取付枠とポストカバーに配設された上側固定金具の突起の取り付け状態を示した拡大縦断面図である。
【図７】取付枠と下側固定金具およびポストカバーの取り付け状態を示した拡大縦断面図である。
【図８】下側固定金具の概略斜視図である。
【図９】（Ａ）〜（Ｆ）は、本発明の郵便受けの設置構造の施工のための一実施形態を示した概略工程斜視図である。
【発明を実施するための形態】
【００１５】
以下に、本発明の郵便受けの設置構造について、図面に沿って詳細に説明する。
【００１６】
なお、本明細書中において、「中央部」とは、まさに中央を含む他、当該部材を外観したとき、ほぼ中央と認識し得る部分も含む。
【００１７】
また、本明細書中において、「隣接する」とは、まさに隣接する状態を含む他、当該部材を外観したとき、ほぼ隣接していると認識し得る部分も含む。
【００１８】
図１は、本発明の郵便受けの設置構造の一実施形態における縦断面図である。
【００１９】
図２は、壁体に組み込まれたポスト本体と照明装置ユニットの要部斜視図である。
【００２０】
郵便受けの設置構造１では、壁体２の取付孔２１に組み込まれ、前面３１に投入口３２を有し、郵便物、宅配物等の比較的小型の配達物を収納する収納空間を有する中空の箱体であるポスト本体３とを備えている。また、ポスト本体３に隣接して壁体２の壁面２２に取り付けられるインターフォン４と、ポスト本体３の前面３１の上方に取り付けられる光源５１と明るさ検知センサ５２を有する照明装置ユニット５とを備えている。さらに、図３の分解斜視図にも示されているように投入口３２の外周、インターフォン４の外周および照明装置ユニット５の外周を一体に囲うように配設された、上面に溝６１を有する取付枠６を備えている。そして、投入口３２の周囲およびインターフォン４の前面および照明装置ユニット５の前面を一体に覆うように取り付けられるポストカバー７をも備えている。この郵便受けの設置構造１においては、ポスト本体３は、前面３１の上寄りに投入口３２を有し、投入口３２の下方に下側固定金具８が上下動可能に配設されている。ポストカバー７は、裏面７１に取付枠６の上面の溝６１と嵌合する突起９１を有する係止部９２と、ポストカバー７の裏面７１に接する立設面部９３とからなる上側固定金具９が配設されている。そして、郵便受けの設置構造１では、取付枠６の上面の溝６１に上側固定金具９の突起９１を嵌め込むとともに、ポストカバー７の底面部７２と下側固定金具８とを、固定具１０を用いて固定して取り付け可能とされている。
【００２１】
壁体２は、建物外構部の一部を構成する構造物であり、ポスト本体３を嵌め込み可能な取付孔２１が開口されている。このような壁体２の取付孔２１にポスト本体３を嵌め込み、壁体２に組み込むことにより、郵便受け１を取り付け施工することができる。
【００２２】
図１での壁体２は、模式的に図示されたものであって、例えば、複数のコンクリートブロックを上下左右にモルタル等の目地材を介して積み重ね、左右方向に並ぶブロック間や上下方向に並ぶブロック間に鉄筋を配して形成されたブロック塀が例示される。また、壁体２は、各種の塀、門柱等の敷地境界部に配設された建物外構部を形成する、いわゆる壁状のものを意味する。このような壁体２には、例えば、ＲＣ施工により形成される、すなわち、鉄筋コンクリート製のものも含まれる。
【００２３】
壁体２がブロック塀である場合、ポスト本体３の設置位置、例えば、基準となる地面からの高さが８００〜１２００ｍｍの位置にあるブロックが取付孔２１を有しており、この取付校２１にポスト本体３が嵌めこまれて設置されている。あるいは、取付孔を有するブロックに、あらかじめポスト本体３を嵌め込み、これを、施工中のブロック塀の所定の設置位置に組み込んで壁体２とすることも考慮される。この場合、所定の設置位置の直下のブロックの上に、モルタル等の目地材を介してポスト本体３を嵌め込んだブロックが配置さる。さらにその上面に目地材を介してブロックが載置され、ポスト本体３は、壁体２と固定一体化される。
【００２４】
壁体２が鉄筋コンクリート製である場合、あらかじめポスト本体２の外形寸法に対応して、たとえば、縦横が４００ｍｍ×４００ｍｍ程度の取付孔２１としての開口部が形成されるように壁材を養生することが好ましく考慮される。この壁材の養生後に、ポスト本体３を取付孔２１に嵌め込み、ポスト本体３と取付孔２１との間の隙間を、壁材の前後においてシーリング処理してポスト本体３を設置することができる。
【００２５】
ポスト本体３は、郵便受けの本体を構成する設備部材であり、図１に示すように、前面３１の上寄りに配達物を投入する投入口３２を有している。投入口３２には、ポスト本体３の内部空間に向かって回動可能なフラップ３３が配設され、フラップ３３の回動によって投入口３２の開閉が自在とされている。フラップ３３の内部空間への回動は、配達物の先端をフラップ３３に当接し、押圧することによって行われ、投入口３２が開き、配達物がポスト本体３に投入され、収納される。フラップ３３は、自重により回動して初期位置に復帰し、投入口３２を閉鎖する。
【００２６】
ポスト本体３の後面部３４には、配達物の取出口３５が形成されるとともに、取出口３５を開閉する取出蓋３６が配設されている。取出蓋３６には、例えば、ダイヤル錠３７が付設され、設定したダイヤル番号を入力することにより取出蓋３６を必要時に開けることができるようにしている。取出蓋３６は、図１においては、ポスト本体３の上端部を中心として前後に回動自在に配設され、取出蓋３６を開けることによってポスト本体３に収納された配達物を取り出すことができるようにしている。なお、取出蓋３６は、ポスト本体３の下端部を中心として前後に回動自在に配設されていてもよい。
【００２７】
ポスト本体３の前面３１は、壁体２の壁面２２と同一平面上に配置されるように取り付けられている。なお、同一平面とは、まさに同一平面を含む他、壁体２を外観したとき、ほぼ同一平面と認識し得る部分も含む。ポスト本体３がこのように配置されることにより、投入口３２が過度に目立つことがなくなり、すっきりとした意匠性の高い外観が実現される。
【００２８】
ポスト本体３は、屋外に設置し、風雨にさらされることを考慮すると、例えば、防錆性に優れたＳＵＳ３０４鋼板やガルバリウム鋼板（登録商標）等の鋼板から形成することが好ましく考慮される。前記鋼板の厚みとしては、例えば、０．５〜０．８ｍｍであることが例示される。
【００２９】
インターフォン４は、ポスト本体３とは別体として、ポスト本体３に隣接して壁体２の壁面２２に取り付けられている。インターフォンの取り付けは、例えば、壁体２に固定具を用いて直接固定する方法が例示される。あるいは、壁体２の壁面２２に外装材が取り付けられている場合は、この外装材に、壁体２の壁材に達する貫通孔を開口し、前記外装材ごと固定具を用いて固定する方法等が例示される。
【００３０】
インターフォン４としては、通常、住宅等の建物に設置されているものであれば、特に制限されることはなく、例えば、カメラ付インターフォン、建物内と音声通話が可能なインターフォン等が例示される。また、ドアチャイムのみのものも使用することができる。
【００３１】
照明装置ユニット５は、光源５１と明るさ検知センサ５２を有し、ポスト本体３の前面の上方に取り付けられる。照明装置ユニット５は、図４に示すように、照明装置ユニット５の前面、かつ光源５１の前方には、下方に開口部５３ａが設けられた照明カバー５３が取り付けられている。なお、照明カバー５３の形状は、下方に開口部５３ａが設けられている限り、特に制限されるものではなく、例えば断面Ｌ字状、四分円の円弧状の断面を有するもの等が例示される。
【００３２】
光源５１の前方には照明カバー５３が取り付けられているため、光源５１から照射された光は、前方に直接照射されることはなく、照明カバー５３の下方に設けられた開口部５３ａから、照明装置ユニット５の下方に向けて照射される。照明装置ユニット５の下方には、ポスト本体３の投入口３２や、後述のポストカバー７の一部が配置されているため、これらの設備部材を上方から照明することができる。したがって、日没後や夜間であっても、ポスト本体３の投入口３２やポストカバー７の表面の表札部分を視認することが可能となる。
【００３３】
光源５１としては、例えば、白熱球、蛍光灯、ＬＥＤ照明等が例示されるが、消費電力および発熱量が小さく、しかも照明の交換回数を減らすことができる長寿命のＬＥＤ照明を用いることが好ましく考慮される。
【００３４】
明るさ検知センサ５２は、例えば、郵便受けの周囲（壁体２の周囲）の明るさを光学的に検知することができる。本実施形態における明るさ検知センサ５２は、上記のセンシングのための設備部材のみならず、検知した情報に基づいて光源５１への電力供給を自動制御することができる制御装置も含むものとする。すなわち、明るさ検知センサ５２は、郵便受けの周囲（壁体２の周囲）がある一定以上暗い場合に、光源５１への電力供給をオンにし、それ以外の場合には、光源５１への電力供給をオフにするように、照明装置ユニット５を自動制御することができる。明るさ検知センサ５２は、光源５１および電源と有線で電気的に接続されている。
【００３５】
もちろん、センシング機能のみを有するセンサと、別体の制御装置を独立して組み込む態様も考慮される。
【００３６】
本実施形態の照明装置ユニット５は、図４に例示したように、光源５１、明るさ検知センサ５２および照明カバー５３に加え、電源５４と、端子台５５と、導光棒５６とを備える形態が考慮される。光源５１と明るさ検知センサ５２は、端子台５５を介して、電源５４と有線で電気的に接続されている。電源５４は、外部電源から照明装置ユニット５に電力を供給するものであってもよいし、電池等を用いて光源５１に電力を供給するものであってもよい。
【００３７】
端子台５５は、電源５４と電気的に接続されており、光源５１や明るさ検知センサ５２の導線端部に取り付けられた端子部を挿入するための端子口を有している。この端子口に光源５１や明るさ検知センサ５２の前記端子部を挿入することにより、電源５４と光源５１および明るさ検知センサ５２とが電気的に接続される。
【００３８】
導光棒５６は、光ファイバーと同様に、透明な樹脂からなる複数の層を有する棒状の導光体であり、最外層にコア層を有し、コア層の下にクラッド層を有している。さらに、コア層とクラッド層の間の一部に反射層が設けられている。あらかじめ導光棒５６の端部が光源５１と接触ないし隣接するように配置することで、光源５１から照射された光が導光棒５６の端部から導入される。導光棒５６に導入された光は、前記コア層内部を直進し、前記反射層によって反射され、前記クラッド層を透過して、導光棒５６の側面全体を発光させる。このような導光棒５６を備えていることにより、照明装置ユニット５の全幅に亘って光源５１を設けることなく、必要最小限の光源５１で十分な照明を実現することができる。なお、導光棒５６の断面形状は、円形であってもよいし、矩形であってもよい。
【００３９】
照明装置ユニット５は、ポスト本体３とともに壁体２の取付孔２１に組み込まれることが好ましく考慮される。また、図５に例示したように、ポスト本体３の上方に隣接して壁体２の壁面２２に取り付けられることも好ましく考慮される。
【００４０】
取付枠６は、図３および図６に示すように、上面に、後述の上側固定金具９の上面部９２に設けられた突起９１を嵌合することができる溝６１を有している。また、取り付け枠６は、壁体２の壁面２２に固定具等を用いて、投入口３２の外周、インターフォン４の外周および照明装置ユニットの外周とを一体に囲うように取り付けられる。
【００４１】
取付枠６は、例えば、互いに平行に対向配置された一対の横枠６ａおよび互いに平行に対向配置された一対の縦枠６ｂから矩形形状に組み立てられ、横枠６ａと縦枠６ｂとが隣接する端縁で相互に連結されている四方枠であることが好ましく考慮される。この場合、横枠６ａおよび縦枠６ｂの連結には、例えば、金属製の連結具等を用いることが例示される。横枠６ａおよび縦枠６ｂは、中実の構造であってもよいし、中空の構造であってもよい。
【００４２】
溝６１は、取付枠６の上面の長手方向の全長に亘って連続的に形成されていてもよいし、後述の上側固定金具９の突起９１が設けられた位置と対応する位置に非連続な凹部として形成されていてもよい。溝６１が、取付枠６の上面の長手方向の全長に亘って連続的に形成されている場合、図６に示すように、横枠６ａの断面形状は、一部を切り欠いた矩形状であることが好ましく考慮される。
【００４３】
取付枠６の材質としては、例えば、アルミニウムダイカスト、ステンレス鋼製等の金属材が例示され、十分な剛性を持たせることが好ましく考慮される。
【００４４】
なお、取付枠６は、周方向に連続した形状に限らず、周方向の一部が非連続となった形状も含む。取付枠６の上面の溝６１に、後述の上側固定金具９の突起９１が係止されればよいので、取付枠６としては、例えば、互いに平行に対向配置された一対の横枠６ａのみからなる形状であってもよい。さらには、上方の横枠６ａが一本のみ配置された形状であってもよい。
【００４５】
ポストカバー７は、例えば、図３および図６に示すように、裏面７１に後述の上側固定金具９が配設されており、底面部７２の中央部に貫通孔７３を有している。また、ポストカバー７は、照明装置ユニット５を覆う部分において、下方に開口部７４が設けられており、照明装置ユニット５から照射された光が、照明装置ユニット５の下方に位置する設備部材を、開口部７４を通じて照明することができる。
【００４６】
ポストカバー７は、上側固定金具９の突起９１を取付枠６の上面の溝６１に嵌め込むとともに、図７に示すように、ポストカバー７の底面部７２と後述の下側固定金具８の水平面部８１の中央部に開口した貫通孔８３に固定具１０を挿通し、締結することで壁体２およびポスト本体３に取付可能とされている。このようにして、ポストカバー７は、ポスト本体３の前面３１、インターフォン４の前面および照明設備ユニット５を一体的に覆う。これによって、それぞれの設備部材があたかも一体化しているかのようなデザイン上の統一感のある外観を付与することができる。
【００４７】
また、ポストカバー７は、複数の設備部材を覆う化粧用の設備部材としての機能のみならず、表札としての機能を兼ね備えている。氏名等をポストカバー７の前面に直接的に表示してもよいし、氏名等が記載されたプレートをポストカバー７の前面に固定することも可能である。ポストカバー７の前面に氏名等を直接的に表示する場合、例えば、レーザー加工や切削加工等により刻印することが例示される。また、種々のプリンター等を用いて、ポストカバー７の前面に氏名等を印字してもよい。ポストカバー７の前面は、平滑面であっても良いし、凹凸面であってもよい。
【００４８】
ポストカバー７の材質としては、例えば、ステンレス鋼板、板状の石材、人造大理石等の板状の樹脂成型品等が例示される。
【００４９】
下側固定金具８は、例えば、図７および図８に示すように、断面Ｌ字状の金具であり、水平面部８１と垂直面部８２とを有する。水平面部８１の中央部には、固定具を挿通して固定するための貫通孔８３が設けられており、垂直面部８２には、左右方向に間隔をおいて少なくとも２つの貫通孔８４が設けられている。貫通孔８４の形状は、高さ方向に長軸を有する長円形であることが好ましく考慮される。長円形の貫通孔８４に固定具８５を挿通し、固定具８５と垂直面部８２との間に隙間を開けて締め込まないように取り付けると、下側固定金具８は、図８中の矢印で示したように、貫通孔８４の長軸方向の長さ分だけ上下動が可能となる。上側固定金具９の突起９１を、取付枠６の上面の溝６１に嵌め込む際に、下側固定金具８を上方に可動させることで、下側固定金具８の水平面部８１が、ポストカバー７の底面部７２に干渉することなく、上側固定金具９の突起９１を、取付枠６の上面の溝６１に嵌め込むことができる。続いて、下側固定金具８を下方に可動させることで、水平面部８１とポストカバー７の底面部７２に設けられた貫通孔８３、７３に後述の固定具１０を挿通させて固定することにより、ポストカバー７の取り付けが安定したものとなる。一方、ポストカバー７の取り外し時には、上記の手順とは逆になる。ポストカバー７ごと下側固定金具８を一旦上方に可動させた後、固定具１０を取り外し、上側固定金具９の突起９１と取付枠６の溝６１の嵌合を解除することにより、ポストカバー７の前面側から取り外し作業を効率よく行うことができる。したがって、ポストカバー７の取り付けおよび取り外し時に、ポストカバー７ごと下側固定金具８を上下に可動させることにより、施工時の作業性を向上させることができる。
【００５０】
上側固定金具９は、例えば、図３および図６に示すように、取付枠６の上面の溝６１と嵌合する突起９１を有する係止部９２と、ポストカバー７の裏面７１と接する立設面部９３とからなり、ポストカバー７の裏面７１に配設されている。立設面部９３には、固定具を用いてポストカバー７の裏面７１と上側固定金具９とを固定可能な貫通孔が設けられている。
【００５１】
上側固定金具９は、一枚の板状の金属材料を曲げ加工することにより形成されており、取付枠５の上面の溝６と嵌合する突起９１も、係止部９２の端縁部分を折り曲げ加工することで形成されている。
【００５２】
このような上側固定金具９の突起９１を、取付枠６の上面の溝６１に嵌め込むとともに、ポストカバー７の底面部７２の中央部に設けられた貫通孔７３と、下側固定金具８の水平面部８１の中央部に設けられた貫通孔８３とに、下方より上向きに固定具１０を挿通する。そして、固定具１０を締結することにより、ポストカバー７が壁体２から容易に外れず、しかも固定具１０が目立たずすっきりとした外観を有する、意匠性の高い郵便受けの設置構造１が実現される。
【００５３】
図９（Ａ）〜（Ｆ）は、本発明の郵便受けの設置構造の施工のための一実施形態について示した概略工程斜視図である。具体的には、図９（Ａ）〜（Ｆ）では、壁体２の取付孔２１にポスト本体３と照明装置ユニット５とが組み込まれる態様を図示している。
【００５４】
壁体２は、図９（Ａ）〜（Ｆ）においては、模式的に縦方向に短く、横方向に長いブロック状の構造物として描画されているが、実際には、複数のブロックが上下左右方向に積み上げられて構成されるブロック塀や鉄筋コンクリート製の建物外構部である。以下では、壁体の厚み方向を前後方向とし、壁体の横方向を左右方向とし、壁体の縦方向を上下方向として、各構成について説明する。
【００５５】
ポスト本体３は、例えば、投入口３２が壁体２の前端よりも後方に位置し、ポスト本体３の前寄りの部分が目地材を介して壁体２の取付孔２１内に配され、ポスト本体３の他の部分が壁体２の後端よりも後方に突出するように、壁体２の取付孔２１内に取り付けられる。
【００５６】
まず、図９（Ａ）、（Ｂ）に示すように、壁体２が有する取付孔２１内にポスト本体３および照明装置ユニット５を組み込む。ポスト本体３および照明装置ユニット５の上面部には、ゴム等の弾性体から形成されたスペーサー等が取り付けられていることが好ましく考慮される。
【００５７】
図９（Ｂ）に示すように、ポスト本体３の前面３１において、投入口３２の下方に下側固定金具８を上下動可能に配設する。このとき、図８のように、下側固定金具８の長円形の貫通孔８４に固定具８５を挿通し、固定具８５と垂直面部８２との間に隙間を開けて締め込まないように取り付けることが好ましく考慮される。このようにして下側固定金具８を取り付けると、下側固定金具８は、図８中の矢印で示したように、貫通孔８４の長軸方向の長さ分だけ上下動が可能となる。このため、ポストカバー７の取り付けおよび取り外し時に、ポストカバー７ごと下側固定金具８を上下に可動させることにより、施工時の作業性を向上させることができる。
【００５８】
下側固定金具８の取り付け後、図９（Ｃ）に示すように、ポスト本体３と隣接する壁体２の壁面２２にインターフォン４を取り付ける。インターフォン４の取り付けは、例えば、壁体２の壁在表面に固定具を用いて直接固定する方法が例示される。あるいは、壁体２の壁面２２に外装材が取り付けられている場合は、この外装材に、壁体２の壁材に達する貫通孔を開口し、前記外装材ごと固定具を用いて固定する方法等が例示される。
【００５９】
次いで、図９（Ｄ）に示すように、ポスト本体３の前面に設けられた投入口３２の外周およびインターフォン４の外周および照明装置ユニット５の外周を一体に囲うように、図３および図６のように、上面に溝６１を有する取付枠６を壁体２の壁面２２に設置する。取付枠６の設置には、固定具等を用いることが考慮される。
【００６０】
取付枠６の設置後、図９（Ｅ）に示すように、壁体２の壁面２２の表面仕上げを目的として、例えば、壁面２２および取付枠５の外側のポスト本体３前面にモルタル２３を塗装する。このとき、モルタル２３は、取付枠６に囲まれた範囲の外側にのみ塗布されるので、取り付け枠６は、投入口３２の周囲やインターフォン４や照明装置ユニット５にモルタル２３が付着しないように区切る役割も果たしている。また、図９（Ｄ）に示すように、取付枠５の上下寸法をポスト本体３の上下寸法より小さくし、ポスト本体３の前面の一部を取付枠５の外側にはみ出すようにし、このはみ出した部分にモルタル２３を塗装するようにしてもよい。この場合、郵便受けの大きさを小さく見せることができ、更にすっきりとした外観を備える意匠性の高い郵便受けの設置構造を提供することができる。
【００６１】
このようにして、表面仕上げのモルタル２３が塗布された壁体２の壁面２２に、図９（Ｆ）に示すように、ポストカバー７を取り付ける。図３および図６のポストカバー７の裏面７１に配設された上側固定金具９の突起９１を、取付枠６の上面の溝６１に嵌め込む。このとき、下側固定金具８を上方に可動させることで、下側固定金具８の水平面部８１が、ポストカバー７の底面部７２に干渉することなく、上側固定金具９の突起９１を、取付枠６の上面の溝６１に嵌め込むことができる。上側固定金具９の突起９１を、取付枠６の上面の溝６１に嵌め込んだ後、下側固定金具８を下方に移動させて、ポストカバー７の底面部７２上に、下側固定金具８の水平面部８１を載置する。このとき、ポストカバー７の底面部７２に設けられた貫通孔７３と水平面部８１とに設けられた貫通孔８３の位置合わせを行う。そして、ポストカバー７の底面部７２の中央部に設けられた貫通孔と、下側固定金具８の水平面部８１の中央部に設けられた貫通孔８３とに、下方より固定具１０を上向きに挿通する。固定具１０を締結することにより、ポストカバー７を壁体２に取り付けることができる。
【００６２】
以上のように、本発明を図面に示す実施形態に基づいて説明したが、本発明は上記の実施形態に限定されるものではなく、適宜の設計変更が可能である。
【００６３】
本発明の郵便受けの設置構造は、ポスト本体、インターフォンおよび照明装置ユニットとが一体化したデザイン上の統一感があり、ポストカバーを固定する固定具が目立たず、すっきりとした外観を備える意匠性の高い郵便受けの設置構造を提供することができる。さらにまた、施工性およびメンテナンス性に優れた郵便受けの設置構造を提供することができる。
【符号の説明】
【００６４】
１  郵便受けの設置構造
２  壁体
２１  取付孔
２２  壁面
３  ポスト本体
３１  前面
４  インターフォン
５  照明装置ユニット
５１  光源
５２  明るさ検知センサ
６  取付枠
６１  溝
７  ポストカバー
７１  裏面
７２  底面部
８  下側固定金具
９  上側固定金具
９１  突起
９２  係止部
９３  立設面部
１０  固定具
【図１】
2017225776.tif 000003
【図２】
2017225776.tif 000004
【図３】
2017225776.tif 000005
【図４】
2017225776.tif 000006
【図５】
2017225776.tif 000007
【図６】
2017225776.tif 000008
【図７】
2017225776.tif 000009
【図８】
2017225776.tif 000010
【図９】
2017225776.tif 000011